(57)【要約】【課題】  従来、炭焼き窯、食品加熱用石窯などの商用窯においては、熱源のエネルギーを有効に利用するため、余熱或いは廃熱の再利用を行うことは殆ど行われていなかった。また、これらの窯を体験観光等に利用するにあたり、効果的な余熱或いは廃熱の再利用方法はなかった。【解決手段】本発明は、炭焼き窯、食品加熱用石窯などの炉体の基礎中に通水可能な管を配設し、炉体からの伝熱により温水を得てこれを再利用することとした。また、本発明は、炉内で加熱及び／又は焼成を行う際に生ずる熱により温水を得るのみならず、必要に応じて温水を得る目的のために炉内で薪炭等を燃焼させる事とした。また、本発明は、該炉体からの伝熱により温水を得てこれを再利用する窯から得られた温水を、入浴、サウナ浴、温砂浴などの温熱療法に利用することを特徴とする、炭焼き窯、食品加熱用石窯などの炉体の基礎中に通水可能な管を配設して得た温水の利用方法である。【選択図】図１
2005055099.tif 000002
【特許請求の範囲】
【請求項１】
炭焼き窯、食品加熱用石窯などの炉体の基礎中に通水可能な管を配設し、炉体からの伝熱により温水を得てこれを再利用することを特徴とする窯。
【請求項２】
該窯は、炉内で加熱及び／又は焼成を行う際に生ずる熱により温水を得るのみならず、必要に応じて温水を得る目的のために炉内で薪炭等を燃焼させることを特徴とする請求項１記載の窯。
【請求項３】
該炉体からの伝熱により温水を得てこれを再利用する窯から得られた温水を、入浴、サウナ浴、温砂浴などの温熱療法に利用することを特徴とする、炭焼き窯、食品加熱用石窯などの炉体の基礎中に通水可能な管を配設して得た温水の利用方法。
【請求項４】
該炉体からの伝熱により温水を得てこれを再利用する窯から得られた温水を、温室、ビニールハウス等農業或いは園芸用に用いることを特徴とする、炭焼き窯、食品加熱用石窯などの炉体の基礎中に通水可能な管を配設して得た温水の利用方法。
【請求項５】
該炉体からの伝熱により温水を得てこれを再利用する窯から得られた温水を、魚類、甲殻類、爬虫類、両生類、貝類等の養殖池或いは昆虫類、動物等の飼育設備の恒温用に用いることを特徴とする、炭焼き窯、食品加熱用石窯などの炉体の基礎中に通水可能な管を配設して得た温水の利用方法。
【発明の詳細な説明】
【技術分野】
【０００１】
本発明は、炭焼き窯、食品加熱用石窯などの商用窯及びその廃熱を用いて得た温水の利用方法に関するものである。
【背景技術】
【０００２】
炭焼き窯、食品加熱用石窯などの商用窯においては、熱源のエネルギーは専ら加熱焼成にのみ利用されていた。一部特開２００１−４９２６２に於いて開示されているように排煙の余熱を利用して温水を得る取り組み等が存在するのみである。
【特許文献１】特開２００１−４９２６２号公報
【発明の開示】
【発明が解決しようとする課題】
【０００３】
従来、炭焼き窯、食品加熱用石窯などの商用窯においては、熱源のエネルギーを有効に利用するため、余熱或いは廃熱の再利用を行うことは殆ど行われていなかった。
【０００４】
また、今日では自然体験や体験観光が人気を集め、炭焼き体験や石窯作りとこれによる調理体験なども注目されている。しかし、これらの窯を体験観光等に利用するにあたり、効果的な余熱或いは廃熱の再利用方法はなかった。
【課題を解決するための手段】
【０００５】
筆者らは、炭焼き窯、食品加熱用石窯などの商用窯を体験観光等に利用するにあたり、効果的な余熱或いは廃熱の再利用方法を鋭意検討し、本件発明に到達したものである。
【０００６】
即ち本発明は炭焼き窯、食品加熱用石窯などの炉体の基礎中に通水可能な管を配設し、炉体からの伝熱により温水を得てこれを再利用することを特徴とする。
【０００７】
また、本発明は、炭焼き窯、食品加熱用石窯などの炉体の基礎中に通水可能な管を配設し、炉内で加熱及び／又は焼成を行う際に生ずる熱により温水を得るのみならず、必要に応じて温水を得る目的のために炉内で薪炭等を燃焼させる事を特徴とする。
【０００８】
また、本発明は、該炉体からの伝熱により温水を得てこれを再利用する窯から得られた温水を、入浴、サウナ浴、温砂浴などの温熱療法に利用することを特徴とする、炭焼き窯、食品加熱用石窯などの炉体の基礎中に通水可能な管を配設して得た温水の利用方法である。
【発明の効果】
【０００９】
以上説明したように本発明の方法は、簡便な方法によって安価に炭焼き窯、食品加熱用石窯などの商用窯においては、熱源のエネルギーを有効に利用するため、余熱或いは廃熱の再利用を行うことを可能にし、またこれらの窯を体験観光等に利用するにあたり、効果的な余熱或いは廃熱の再利用方法を実現する事が出来、以って産業に多大なる貢献をする事が出来るものである。
【発明を実施するための最良の形態】
【００１０】
簡便な方法によって安価に炭焼き窯、食品加熱用石窯などの商用窯においては、熱源のエネルギーを有効に利用するため、余熱或いは廃熱の再利用を行うことを可能にし、またこれらの窯を体験観光等に利用するにあたり、効果的な余熱或いは廃熱の再利用方法を実現した。
【実施例】
【００１１】
（実施例１）
図１は、本発明の１実施例の略図である。ここでは、本発明にかかる炭焼き窯の構造の一例を示している。ここで、１１は窯本体、１２は基礎部、１３は通水可能な管である。
【００１２】
ここで、本実施例では、窯本体から伝導される熱を予め炉本体基礎部に配設された通水可能な管１３により温水を得てこれを有効に再利用しており、エコロジーという観点からも非常に有効である。
【００１３】
なお、窯本体の壁面等に管を配設した場合、管が木酢液等の強酸性成分に高温下で暴露されることによる腐食等の問題があり、また窯を補修再生する場合管も新規に設置しなければならないという問題があったが、本発明の方法を用いれば管は基礎の下に配設されているため腐食等の影響が少なく、補修再生の際も交換等の必要がない。さらに本発明の方法は、特に寒冷地に於いては窯の非使用時に凍結の恐れが少なく、また気温が低い場合も熱効率が損なわれにくい。
【００１４】
（実施例２）
次に、実施例１の窯を石窯に変更して設置した。石窯はパンやピザを調理するなど広範囲に利用できるものである。石窯は予め炉内で薪炭等を燃焼させて蓄熱し、それにより加熱調理するもので、本発明の余熱利用には非常にマッチしたものであった。
【００１５】
（実施例３）
次に、実施例１の窯を用いて得た温水を、本実施例においては設置した砂場に導き、砂蒸し風呂として用いた。炭焼き窯と砂蒸し風呂は体験観光の素材として非常にマッチングが良く、相互に付加価値が高まる効果があった。ここで、本発明に係る温水の用途は本実施例に限定されるものではなく、通常の浴用、露天風呂、足浴など様々な用途に用いても全く問題がない。
【００１６】
（実施例３）
次に、実施例２の窯を用いて得た温水を、農業用温室の暖房用として用いたところ、余熱によって安定して温水が得られ、植物の育成にも与って効果があった。また同様に本発明に係る窯を魚類、甲殻類、爬虫類、両生類、貝類等の養殖池或いは昆虫類、動物等の飼育設備の恒温用に用いても何等問題がない。
【００１７】
ここで、例えば炭焼き窯で炭焼きを行っていない時点で風呂等に温水が必要な場合は窯の中で薪炭などを燃やすことにより実現できる。炭焼きによって生産された木炭を再度炉内で燃やして燃料とすることも可能であり、資源の有効利用を図ることも出来る。
【産業上の利用可能性】
【００１８】
簡便な方法によって安価に炭焼き窯、食品加熱用石窯などの商用窯においては、熱源のエネルギーを有効に利用するため、余熱或いは廃熱の再利用を行うことを可能にし、またこれらの窯を体験観光等に利用するにあたり、効果的な余熱或いは廃熱の再利用方法を実現する事が出来、以って産業に多大なる貢献をする事が出来るものである。
【図面の簡単な説明】
【００１９】
【図１】本発明にかかる窯の例を示す略図である。（実施例１）
【符号の説明】
【００２０】
１１    窯本体
１２    基礎部
１３    通水可能な管
【図１】
2005055099.tif 000003